【誤訳訂正書】
【提出日】令和1年10月16日(2019.10.16)
【誤訳訂正１】
【訂正対象書類名】明細書
【訂正対象項目名】発明の名称
【訂正方法】変更
【訂正の内容】
【発明の名称】整合手順によってＩＣ製造プロセスに適用されるドーズ補正を決定するための方法
【誤訳訂正２】
【訂正対象書類名】明細書
【訂正対象項目名】０００５
【訂正方法】変更
【訂正の内容】
【０００５】
本出願の譲受人は、既に、ＩＣ製造プロセスのパラメータを決定する方法を発明することによりこの従来技術を越える改善を行った。ＰＣＴ／欧州特許出願公開第２０１５／０６２３３４号明細書に開示のこの発明によると、そのパラメータが標的プロセスと基準プロセスとの間の計測結果の差に応じて決定されるサイジング校正テーブルが標的設計の幾何学形状に適用される。
【誤訳訂正３】
【訂正対象書類名】明細書
【訂正対象項目名】００１０
【訂正方法】変更
【訂正の内容】
【００１０】
この趣旨で、本発明は、少なくとも出力変数を含む出力ベクトルであって、半導体集積回路を製造するための第２のプロセスの少なくとも特徴に適用される補正を定義する出力ベクトルをコンピュータによって決定する方法であって、第１のレイアウトの第１の複数の点において、同じ半導体集積回路を製造するための第１のプロセスの入力ベクトルであって、少なくとも入力変数を含む入力ベクトルの第１の系列の値を取得することと、第１のレイアウト上の同じ第１の複数の点と、第２のレイアウト上の第２の複数の点との一方において、第２のプロセスの入力ベクトルの少なくとも成分の第２の系列の値を取得することと、少なくとも状態変数を含む状態ベクトルであって、入力ベクトルの第１の系列の値と第２の系列の値との間の差の状態を表す状態ベクトルの値を決定することと、状態ベクトルの系列の値の出力ベクトルであって、エッジ変位を含む出力ベクトルを直接計算によって取得することとを含み、第１のドーズ補正である、第１のプロセスの少なくとも特徴に適用される第２のドーズ補正をエッジ変位から決定することとをさらに含む、方法を開示する。
【誤訳訂正４】
【訂正対象書類名】明細書
【訂正対象項目名】００１３
【訂正方法】変更
【訂正の内容】
【００１３】
有利には、第１のプロセスの少なくとも特徴に適用される第２のドーズ補正をエッジ変位から決定することは、前記第１のプロセスの基準物理モデルに基づく。
【誤訳訂正５】
【訂正対象書類名】明細書
【訂正対象項目名】００１４
【訂正方法】変更
【訂正の内容】
【００１４】
有利には、本発明は、第１のプロセスの少なくとも特徴に適用される第２のドーズ補正をエッジ変位から決定する前に標的設計の輪郭を分割することをさらに含む。
【誤訳訂正６】
【訂正対象書類名】明細書
【訂正対象項目名】００２１
【訂正方法】変更
【訂正の内容】
【００２１】
有利には、第１の状態変数は、第１および第２のプロセスが使用される値の領域上のパラメータベクトルの少なくとも成分に関するその判別力（ｄｉｓｃｒｉｍｉｎａｔｏｒｙ  ｐｏｗｅｒ）に基づいて選択される。
【誤訳訂正７】
【訂正対象書類名】明細書
【訂正対象項目名】００２２
【訂正方法】変更
【訂正の内容】
【００２２】
有利には、少なくとも第２の状態変数は、組み合わせ判別力を規定の計算負荷予算内で増加させるために第１の状態変数へ追加される。
【誤訳訂正８】
【訂正対象書類名】明細書
【訂正対象項目名】００２４
【訂正方法】変更
【訂正の内容】
【００２４】
本発明はまた、半導体集積回路を製造するための第２のプロセスの少なくとも第２のパラメータに適用される系列の補正を決定するためのコンピュータプログラムを含む非一時的記憶媒体であって、前記コンピュータプログラムは、第１のレイアウトの第１の複数の点において、同じ半導体集積回路を製造するための第１のプロセスの入力ベクトルであって、少なくとも入力変数を含む入力ベクトルの第１の系列の値を取得することと、第１のレイアウト上の同じ第１の複数の点と、第２のレイアウト上の第２の複数の点との一方において、第２のプロセスの入力ベクトルの少なくとも成分の第２の系列の値を取得することと、少なくとも状態変数を含む状態ベクトルであって、入力ベクトルの第１の系列の値と第２の系列の値との間の差の状態を表す状態ベクトルの値を決定することと、状態ベクトルの系列の値の出力ベクトルであって、エッジ変位を含む出力ベクトルを直接計算によって取得することとを行うように構成されたコンピュータコード命令を含み、コンピュータコード命令は、第１のドーズ補正である、第１のプロセスの少なくとも特徴に適用される第２のドーズ補正をエッジ変位から決定するようにさらに構成される、非一時的記憶媒体を開示する。
【誤訳訂正９】
【訂正対象書類名】明細書
【訂正対象項目名】００３１
【訂正方法】変更
【訂正の内容】
【００３１】
標的設計１０１は、第１のプロセスを使用することによりマスクまたはウェハ上にインプリントされ得る源設計の幾何学形状は１０２であり、一方、第２のプロセスに関して源設計の幾何学形状は１０３となる。第１のプロセスを第２のプロセスにより置換することができるように解決されるべき課題は、第２のプロセスを使用して、標的設計１０１を得るために源設計１０２に適用される幾何学形状補正を決定することである。
【誤訳訂正１０】
【訂正対象書類名】明細書
【訂正対象項目名】００４８
【訂正方法】変更
【訂正の内容】
【００４８】
メトリックのこの計算の出力では、入力変数と出力変数との関係のモデルが決定され得る。このモデルは、コンピュータ的により効率的であるテーブルに変換され得る。
【誤訳訂正１１】
【訂正対象書類名】明細書
【訂正対象項目名】００４９
【訂正方法】変更
【訂正の内容】
【００４９】
次に、工程２７０が適用され、これにより、本発明の差分モデルにより決定される出力ベクトルは、プロセスＩＩのデータ準備ファイルを導出するためにプロセスＩのデータ準備ファイルに適用される。
【誤訳訂正１２】
【訂正対象書類名】明細書
【訂正対象項目名】００６５
【訂正方法】変更
【訂正の内容】
【００６５】
基準理想プロセスの結果に整合するように、実際のプロセスに適用される補正を計算するために差分モデルまたはサイジングテーブルを使用する利点は、入力レイアウトに適用される幾何学形状補正が計算の出力において直接決定されることである。これは、規定の公差内の最適解を発見するために通常使用される標準的シミュレーション手法と対照的である。これらの解決策では、レジスト内の標的レイアウトをインプリントするために規定の入力レイアウトに適用される幾何学形状補正を発見するため、規定の入力レイアウトのレジスト内のインプリントを決定するために使用されるモデルを反転する必要がある。実際的な意味では、これらのモデルは一般的に反転可能ではないため、一解決策が公差マージン内で発見されるまですべての解決策を計算することにより、ブートストラップ法を適用する必要がある。これは、理想基準プロセスにより本方法を適用する際にもはや必要でない、コンピュータ集約型であり、かつ長く、かつ面倒なプロセスである。
【誤訳訂正１３】
【訂正対象書類名】明細書
【訂正対象項目名】００６８
【訂正方法】変更
【訂正の内容】
【００６８】
上述の方法の出力において決定されるサイジング補正は、補正が短距離領域内でありかつ後方散乱（または長距離）効果の変動が無視され得る（すなわち一例として１未満の長距離密度である）限り有効である。また、好適には、サイジング補正は、サイズ変更されるパターンが３αより大きいＣＤを有する場合、より頑強になるであろう。ここで、αは、絶縁プロセスの物理モデルを表す点広がり関数（ＰＳＦ）の短距離パラメータである。
【誤訳訂正１４】
【訂正対象書類名】明細書
【訂正対象項目名】００７１
【訂正方法】変更
【訂正の内容】
【００７１】
単に一例として、−２０ｎｍ〜０のサイジング補正および０〜＋２０ｎｍのサイジング補正がこれらの２つの図にそれぞれ示される。標的ＣＤは５０〜１０００ｎｍで変化する。密度は０〜０．８３で変化する。上に説明した有効性限界に基づき、最大サイジング補正を規定する規定の標的ＣＤの最大密度の組み合わせは、そのパラメータがα＝３０（順方向散乱ビームの幅ＦＷ）、β＝９０００（後方向散乱ビームの幅ＢＷ）、η＝０．８３（ＦＷおよびＢＷビームの強度の比）、１エッジ当たり０．８ｎｍの補正処理の公差（１ＣＤ当たり１．６ｎｍ）において設定される２つのガウス分布を有する古典的ＰＳＦを使用することにより決定される。
【誤訳訂正１５】
【訂正対象書類名】明細書
【訂正対象項目名】００８１
【訂正方法】変更
【訂正の内容】
【００８１】
工程４４０ａでは、標的プロセスの基準物理モデルが本発明の方法に入力される。基準モデルは任意のＰＳＦであり得る。標準ＰＳＦは２つのガウス分布を含み、１つは順方向散乱効果をモデル化するためのもの（短距離）、他方は後方散乱効果をモデル化するためのもの（長距離）である。ＰＳＦはまた、ローレンツ関数とガウス関数との組み合わせまたはその最良適合が校正手順により決定される他のタイプの関数を含め、他の関数（Ｖｏｉｇｔ関数など）またはその近似に基づき得る。基準プロセスの基準モデルは、テーブルの生成がプロセスＩＩのドーズ補正をエッジ変位に変換できるようにする。このようなテーブルの反転は、エッジ変位またはバイアスから、前記変位またはバイアスを得るために適用されるドーズ補正への変換を可能にする。次に、基準物理モデルは、座標Ｘ，Ｙを有するショットに適用される係数Ｋの値のテーブルにより表され得る、ここで、標的プロセスに適用される基本ドーズ補正は、工程４３０ａの出力において決定されたＤ０である。Ｋの計算は、図４ｃに関連した以下の記述においてさらに論述される。